(57)【特許請求の範囲】
【請求項１】
第１の観測局、第２の観測局及び監視局を備えた監視システムにおいて、
前記第１の観測局は、予め設定された所定の時刻になると、センサで測定した第１の測定データを、前記監視局に対して、自発的に送信する制御部を有し、
前記第２の観測局は、前記監視局からのデータ取得要求に応じて、センサで測定した第２の測定データを取得して、前記監視局に対して、取得した前記第２の測定データを送信する制御部を有し、
前記監視局は、
第１のスケジュールに基づいて、前記第１の観測局から測定データを取得する第１データ取得部と、
第２のスケジュールに基づいて、前記第２の観測局に対して前記データ取得要求を送信して、このデータ取得要求に応じて前記第２の観測局から送信された前記第２の測定データを取得する第２データ取得部と、
前記第１のスケジュール及び前記第２のスケジュールを表示装置に表示し、前記第２の観測局からの測定データの取得タイミングが、前記第１のスケジュールに基づく第１の観測局からの測定データの取得タイミングと重複しないように、前記第２のスケジュールを調整するスケジュール制御部と、を有する、監視システム。
【請求項２】
前記スケジュール制御部は、複数の前記第１の観測局の前記第１のスケジュールを前記表示装置に変更可能に表示する、請求項１記載の監視システム。
【請求項３】
前記スケジュール制御部は、複数の前記第１の観測局の前記第１のスケジュールを前記表示装置に変更可能に表示して、変更された前記第１のスケジュールに応じて、他の前記第１のスケジュールを自動調整して前記表示装置に表示する、請求項１記載の監視システム。
【請求項４】
前記監視局は、複数の通信回線を切り換える回線切換部をさらに有し、
前記スケジュール制御部は、前記通信回線を切り換えるスケジュールを前記表示装置に表示する、請求項１記載の監視システム。
【請求項５】
前記第２の観測局からの第２の測定データを、前記第１の測定データのデータフォーマットに変換するデータフォーマット制御部と、
をさらに備える、請求項１記載の監視システム。
【請求項６】
前記データフォーマット制御部は、
前記第２の観測局からの第２の測定データに、取得した時刻を示す時刻データと、前記第２の測定データに含まれる予備データを無視することにより、前記第１の測定データのデータフォーマットに変換する、
請求項５記載の監視システム。
【請求項７】
前記データフォーマット制御部は、
前記第２の測定データを、前記データフォーマットに基づき上位局に送信するための送信データを生成する、
請求項５記載の監視システム。
【請求項８】
取得する前記第１の測定データ又は前記第２の測定データに含まれるデータ項目について、前記データ項目の測定が休止中であることを示す休止フラグを設定可能に表示装置に表示する休止制御部を
さらに備える、
請求項１記載の監視システム。
【請求項９】
前記休止制御部は、
取得した前記データ項目のデータが欠落している場合に、前記データ項目に前記休止フラグが設定されていないときには前記データ項目のデータを欠測として前記表示装置に表示し、
前記データ項目に前記休止フラグが設定されているときには前記データ項目のデータを前記欠測とは異なる形態で前記表示装置に表示する、
請求項８記載の監視システム。
【請求項１０】
前記休止制御部は、
取得した前記データ項目のデータが欠落している場合に、前記データ項目に前記休止フラグが設定されていないときには前記データ項目のデータを欠測として上位局に送信し、前記データ項目に前記休止フラグが設定されているときには前記データ項目のデータを前記欠測とは異なる形態で前記上位局に送信する、
請求項８記載の監視システム。
【請求項１１】
複数の観測局から観測データを収集する監視システムの監視局において、
第１のスケジュールに基づいて、予め設定された所定の時刻になると、センサで測定した第１の測定データを自発的に送信する第１の観測局から第１の測定データを取得する第１データ取得部と、
第２のスケジュールに基づいて、第２の観測局に対してセンサで測定した第２の測定データの取得を要求するデータ取得要求を送信して、このデータ取得要求に応じて前記第２の観測局から送信された前記第２の測定データを取得する第２データ取得部と、
前記第１のスケジュール及び前記第２のスケジュールを表示装置に表示し、前記第２の観測局からの測定データの取得タイミングが、前記第１のスケジュールに基づく第１の観測局からの測定データの取得タイミングと重複しないように、前記第２の測定データを取得するように前記第２のスケジュールを調整するスケジュール制御部と
を備える監視システムの監視局。
【請求項１２】
前記スケジュール制御部は、複数の前記第１の観測局の前記第１のスケジュールを前記表示装置に変更可能に表示する、
請求項１１記載の監視システムの監視局。
【請求項１３】
前記スケジュール制御部は、複数の前記第１の観測局の前記第１のスケジュールを前記表示装置に変更可能に表示して、変更された前記第１のスケジュールに応じて、他の前記第１のスケジュールを自動調整して前記表示装置に表示する、
請求項１１記載の監視システムの監視局。
【請求項１４】
複数の通信回線を切り換える回線切換部をさらに備え、
前記スケジュール制御部は、前記通信回線を切り換えるスケジュールを前記表示装置に表示する、
請求項１１記載の監視システムの監視局。
【請求項１５】
前記第２の測定データを前記第１の測定データのデータフォーマットに変換するデータフォーマット制御部と
をさらに備える、
請求項１１記載の監視システムの監視局。
【請求項１６】
前記データフォーマット制御部は、
前記第２の測定データを取得した時刻を示す時刻データを前記第２の測定データに追加するとともに、前記第２の測定データに含まれる予備データを無視することにより、前記第１の測定データのデータフォーマットに変換する、
請求項１５記載の監視システムの監視局。
【請求項１７】
前記データフォーマット制御部は、
前記第２の測定データを、前記データフォーマットに基づき上位局に送信するための送信データを生成する、
請求項１５記載の監視システムの監視局。
【請求項１８】
取得する前記第１の測定データ又は前記第２の測定データに含まれるデータ項目について、前記データ項目の測定が休止中であることを示す休止フラグを設定可能に表示装置に表示する休止制御部をさらに備える、
請求項１１記載の監視システムの監視局。
【請求項１９】
前記休止制御部は、
取得した前記データ項目のデータが欠落している場合に、前記データ項目に前記休止フラグが設定されていないときには前記データ項目のデータを欠測として前記表示装置に表示し、
前記データ項目に前記休止フラグが設定されているときには前記データ項目のデータを前記欠測とは異なる形態で前記表示装置に表示する、
請求項１８記載の監視システムの監視局。
【請求項２０】
前記休止制御部は、
取得した前記データ項目のデータが欠落している場合に、前記データ項目に前記休止フラグが設定されていないときには前記データ項目のデータを欠測として上位局に送信し、前記データ項目に前記休止フラグが設定されているときには前記データ項目のデータを前記欠測とは異なる形態で前記上位局に送信する、
請求項１８記載の監視システムの監視局。
【請求項２１】
第１の観測局、第２の観測局及び監視局を備えた監視システムの監視方法において、
スケジュール制御部において、第１のスケジュール及び第２のスケジュールを表示装置に表示し、前記第２の観測局からの測定データの取得タイミングが、前記第１のスケジュールに基づく第１の観測局からの測定データの取得タイミングと重複しないように、前記第２のスケジュールを調整するスケジュール制御ステップと、
第１のスケジュールに基づいて、前記第１の観測局からセンサで測定した第１の測定データを前記監視局に対して自発的に送信することで第１の測定データを取得する第１データ取得ステップと、
第２のスケジュールに基づいて、前記監視局から第２の観測局に対して第２の測定データの取得を要求するデータ取得要求を送信して、前記第２の観測局は、前記データ取得要求に応じて、センサで測定した第２の測定データを前記監視局に対して送信することで前記第２の測定データを取得する第２データ取得ステップと、を含む監視システムの監視方法。
【請求項２２】
複数の通信回線を切り換える回線切換ステップをさらに含み、
前記スケジュール制御ステップにおいて、前記通信回線を切り換えるスケジュールを前記表示装置に表示する、請求項２１記載の監視システムの監視方法。
【請求項２３】
前記第２の測定データを前記第１の測定データのデータフォーマットに変換するデータフォーマット制御ステップと
をさらに含む、
請求項２１記載の監視システムの監視方法。
【請求項２４】
取得する前記第１の測定データ又は前記第２の測定データに含まれるデータ項目について、前記データ項目の測定が休止中であることを示す休止フラグを設定可能に表示装置に表示する休止制御ステップをさらに含む、
請求項２１記載の監視システムの監視方法。
【発明の詳細な説明】
【技術分野】
【０００１】
本発明の実施形態は、監視システム、監視局及び監視方法に関する。
【背景技術】
【０００２】
従来、河川流域の水位、雨量等の気象データを測定する観測局と、観測局から観測データを取得する監視局からなるテレメータシステムがある。テレメータシステムに用いる装置の仕様は、様々な仕様が定められている。例えば、国土交通省で定めた電気通信関係機器仕様書（国電通仕）においては、テレメータ装置の仕様として、テレメータ装置標準機器仕様書（国電通仕第２１号（以下、「２１号」と省略する。））、テレメータ装置（自律型）標準仕様書（国電通仕第５４号（以下、「５４号」と省略する。））等が定められている。なお、２１号及び５４号には、仕様書に定めのない事項を定めた特記仕様書を含むものとする。
【０００３】
テレメータ装置は、仕様によって観測データの送信・取得方法が異なる。また、テレメータ装置は、仕様によって送信・取得される観測データのデータフォーマットが異なる場合がある。
例えば、２１号で定められたテレメータ装置（以下、「２１号テレメータ装置」と省略する。）においては、所定の呼出信号を受信したときに観測データを送信する観測装置呼出方式を採用している。観測装置呼出方式を採用している２１号テレメータ装置を用いた観測局（以下、「２１号観測局」と省略する。）からの観測データの取得は、監視局が、観測時間を管理して、観測時間になったときに２１号観測局に対して呼出信号を送信することによって行われる。すなわち、観測装置呼出方式における観測データ取得のタイミングは監視局側で決定することができる。
また、５４号で定められたテレメータ装置（以下、「５４号テレメータ装置」と省略する。）においては、所定の時刻にテレメータ装置が自律的に観測データを送信する自律送信方式を採用している。自律送信方式を採用している５４号テレメータ装置を用いた観測局（以下、「５４号観測局」と省略する。）からの観測データの取得は、観測局が、送信時刻を管理して、送信時刻になったときに監視局に対して観測データを送信することによって行われる。すなわち、自律送信方式における観測データ取得のタイミングは観測局で予め設定された時刻によって決定される。
また、テレメータ装置の仕様によって、観測データのデータフォーマットが異なる。例えば、２１号で定められた観測データのデータフォーマットと５４号で定められた観測データのデータフォーマットは異なる。データフォーマットの異なる観測データは、データフォーマット毎に記録し、又は印字しなければいけない場合がある。
【０００４】
観測装置呼出方式の観測局と自律送信方式の観測局とでは、上記のように、観測データの取得方法やタイミング、データフォーマット等の仕様の異なるため、１台の監視装置によって両方式の観測局から観測データを取得することは困難であるため、両方式の観測局が混在するシステムにおいては、観測装置呼出方式の観測局に対応した監視装置と自律送信方式の観測局に対応した監視装置とをそれぞれ別個に持たなくてはいけない場合があった。
【先行技術文献】
【特許文献】
【０００５】
【特許文献１】特開２００４−２６６４３５号公報
【特許文献２】特開２０１４−１０６１７８号公報
【特許文献３】特開２０１３−１８３４０６号公報
【発明の概要】
【発明が解決しようとする課題】
【０００６】
本発明が解決しようとする課題は、１台の観測装置において観測装置呼出方式の観測局の観測データと自律送信方式の観測局の観測データの両方を取得することができる、監視システム、監視局及び監視方法を提供することである。
【課題を解決するための手段】
【０００７】
実施形態の監視システムは、第１の観測局、第２の観測局及び監視局を持つ。第１の観測局は、予め設定された所定の時刻になると、センサで測定した第１の測定データを、前記監視局に対して、自発的に送信する制御部を持つ。第２の観測局は、前記監視局からのデータ取得要求に応じて、センサで測定した第２の測定データを取得して、前記監視局に対して、取得した前記第２の測定データを送信する制御部を持つ。監視局は、第１データ取得部と、第２データ取得部と、スケジュール制御部とを持つ。第１データ取得部は、第１のスケジュールに基づいて、前記第１の観測局から測定データを取得する。第２データ取得部は、第２のスケジュールに基づいて、前記第２の観測局に対して前記データ取得要求を送信して、このデータ取得要求に応じて前記第２の観測局から送信された前記第２の測定データを取得する。スケジュール制御部は、前記第１のスケジュール及び前記第２のスケジュールを表示装置に表示し、前記第２の観測局からの測定データの取得タイミングが、前記第１のスケジュールに基づく第１の観測局からの測定データの取得タイミングと重複しないように、前記第２のスケジュールを調整する。
【図面の簡単な説明】
【０００８】
【図１】実施形態の監視システムのシステム構成を示す図。
【図２】実施形態の監視局のシステム構成を示す図。
【図３】実施形態の第１の観測局のシステム構成を示す図。
【図４】実施形態の第２の観測局のシステム構成を示す図。
【図５】実施形態の中継局のシステム構成を示す図。
【図６】実施形態の第１の観測局からの観測データ取得動作を示すシーケンス図。
【図７】実施形態の第２の観測局からの観測データ取得動作を示すシーケンス図。
【図８】実施形態の第１の観測局及び第２の観測局からの観測データ取得動作を示すタイミングチャート。
【図９】実施形態の第１の観測局からの観測データ取得スケジュールの設定を示す図。
【図１０】実施形態の第１の観測局からの観測データ取得スケジュールの設定を示す図。
【図１１】実施形態の第１の観測局からの観測データ取得スケジュールの設定を示す図。
【図１２】実施形態の第１の観測局及び第２の観測局からの観測データ取得の休止の設定を示す図。
【図１３】実施形態の第１の観測局及び第２の観測局からの観測データ取得の休止の設定を示す図。
【図１４】実施形態の第１の観測局及び第２の観測局からの観測データ取得の休止の設定を示す図。
【図１５】実施形態の第１の観測局及び第２の観測局からの観測データ取得の休止の設定を示す図。
【図１６】実施形態の第２の観測局からの観測データ取得の休止の設定を示す図。
【図１７】実施形態の第１の観測局及び第２の観測局から取得した観測データの表示を示す図。
【図１８】実施形態のデータフォーマットの変換を示す図。
【図１９】実施形態のデータフォーマットの変換を示す図。
【発明を実施するための形態】
【０００９】
以下、実施形態の監視システム、監視局及び監視方法を、図面を参照して説明する。なお、以下の図面の説明において同じ構成には同じ符号を付して説明を書略する場合がある。
【００１０】
先ず、図１を用いて、監視システムのシステム構成を説明する。図１は、実施形態の監視システムのシステム構成の一例を示す図である。図１において、監視システムは、監視局１、第１の観測局（２１１、２１２等）、第２の観測局（２２１、２２２等）、ＣＨ２中継局４０２、及びＣＨ３中継局４０３を持つ。図１における監視システムは、監視局１を親局、第１の観測局及び第２の観測局を子局とするシステム構成である。以下、第１の観測局と第２の観測局を区別しないときには、「子局」という場合もある。
【００１１】
本実施形態において、「第１の観測局」は、自律送信方式を採用しているテレメータ装置を用いた観測局である。第１の観測局は、例えば５４号観測局である。また、「第２の観測局」は、観測装置呼出方式を採用しているテレメータ装置を用いた観測局である。第２の観測局は、例えば２１号観測局である。すなわち、図１は、親局である監視局１に、子局として、自律送信方式を採用している観測局と、観測装置呼出方式を採用している観測局とが接続されて、それぞれの仕様の観測局から観測データを取得する場合を示している。本実施形態では、第１の観測局として５４号観測局を例示し、第２の観測局として２１号観測局を例示する。
【００１２】
監視局１は、第１の観測局及び第２の観測局において生成された観測データを取得する。監視局１は、所定の地域に配置された複数の観測局を管轄する上位局（管轄局）であり、所定の地域に１又は複数が配置される。図１においては、監視局１が１台配置される場合を例示している。
【００１３】
第１の観測局及び第２の観測局は、ＣＨ１〜ＣＨ３の３チャネルに分類されて監視局１に通信可能に接続されている。チャネルとは、観測局をグループ化するための分類であり、例えば、河川の水系毎に観測局をグループ化する。ＣＨ１は、監視局１に直接接続される第１の観測局を１又は複数含む分類である。ＣＨ１には、第１の観測局２１１、第１の観測局２１２等を含む。ＣＨ２は、監視局１にＣＨ２中継局４０２を介して通信可能に接続される第１の観測局を１又は複数含む分類である。ＣＨ２には、第１の観測局２１３、第１の観測局２１４等を含む。ＣＨ３は、監視局１にＣＨ３中継局４０３を介して通信可能に接続される第２の観測局を１又は複数含む分類である。ＣＨ３には、第２の観測局２２１、第２の観測局２２２、第２の観測局２２３、第２の観測局２２４等を含む。
【００１４】
なお、図１では、第１の観測局及び第２の観測局がＣＨ１〜ＣＨ３で監視局１に接続される場合を示したが、各ＣＨにおける観測局の数、及びＣＨの数は任意である。また、ＣＨ２中継局４０２及びＣＨ３中継局４０３は、それぞれの観測局と監視局１とを１局の中継局を介して中継する１段の中継をする場合を示したが、中継の段数は２段以上であってもよい。
【００１５】
中継局は、監視局１と上記観測局との通信を中継する設備であり、山岳地域等に設置されて監視局１との直接の通信が困難な観測局と監視局１との通信を可能にする。中継局は、観測局と通信可能な場所に設置されるため、観測局の設置場所によっては多段の中継局が設置される。本実施形態では、観測データの取得は同じ中継局を使用するＣＨ毎に逐次行われる。同じ中継局を使用するＣＨ毎に観測データを取得することにより中継局の起動している時間を短くすることができる。ＣＨ毎に観測局から観測データを取得することにより、中継局の起動又は停止を、ＣＨ毎の観測データの所得に合わせて行うことが可能となる。例えば、ＣＨ毎に観測データを取得する場合、観測データを取得する前に中継局を起動して、そのＣＨを利用する観測局からの観測データを逐次取得する、そのＣＨを利用する観測局からの観測データの取得が完了した後に中継局を停止することにより、中継局の起動と停止はＣＨ毎の観測データの取得の前後でそれぞれ１回とすることができ、中継局の起動停止回数の節約と、中継局の起動している時間の短縮を図ることができ、中継局のバッテリの節約が可能となる。なお、中継局は異なるＣＨの測定局で共有するようにしてもよい。また、中継局を多段として１つの中継局に複数の中継局が接続される場合、観測データを取得する通信経路にある中継局のみを起動・停止するようにしてもよい。
【００１６】
次に、図２を用いて、監視局１（親局）のシステム構成を説明する。図２は、実施形態の監視局１のシステム構成の一例を示す図である。
【００１７】
図２において、監視局１は、監視装置１１、管理端末１２、操作卓１３、操作盤１４を持つ。監視装置１１は、監視局１において子局と通信して子局を制御する。監視装置１１は、例えばサーバ装置である。管理端末１２は、例えばＰＣ（Personal Computer）である。操作卓１３は、監視装置１１の操作を行い、監視装置１１の監視を行うための卓状の操作入力装置である。操作卓１３はスイッチ類、ランプ類等の入出力部品が配され、監視装置１１に対する手動操作等を行う。操作盤１４も操作卓１３と同様に、監視装置１１の操作を行い、監視装置１１の監視を行うための装置であり、例えば、スイッチ類、ランプ類を制御盤のパネルに配している。
【００１８】
監視装置１１は、制御部１１０、回線切換部１１１、通信制御部１１２、データ取得部１１３、中継制御部１１４、時刻制御部１１５、試験制御部１１６、操作制御部１１７、外部Ｉ／Ｆ（Interface）１１８の各機能を持つ。
【００１９】
なお、監視装置１１の各機能は、それぞれハードウェアで実現されても、ソフトウェアで実現されても、又はハードウェアの一部にソフトウェアを用いたミドルウェアで実現されてもよい。また、監視装置１１の各機能は、機能によって機能ブロックで表したものであるため、それぞれの機能は、複数の機能ブロックに分割して実現されてもよい。また、複数の機能の一部又は全部をまとめて１つの機能ブロックで実現されてもよい。すなわち、本実施形態で説明する監視装置１１の各機能の区分は便宜上の区分であって、監視装置１１がその機能を有する限り本実施形態に含まれるものとする。監視装置１１の各機能は、例えば、制御部１０が実行するプログラムによって実現される。
【００２０】
同様に、本実施形態において説明する各装置の各機能は、それぞれハードウェアで実現されても、ソフトウェアで実現されても、又はハードウェアの一部にソフトウェアを用いたミドルウェアで実現されてもよい。また、各装置の各機能は、機能によって機能ブロックで表したものであるため、それぞれの機能は、複数の機能ブロックに分割して実現されてもよい。また、複数の機能の一部又は全部をまとめて１つの機能ブロックで実現されてもよい。すなわち、本実施形態で説明する監視装置１１の各機能の区分は便宜上の区分であって、各装置がその機能を有する限り本実施形態に含まれるものとする。各装置の各機能は、例えば、それぞれの装置における制御部が実行するプログラムによって実現されることもできる。本実施形態において説明する各装置の各機能とは、例えば、図３における第１の観測局２１、図４における第２の観測局２２、図５における中継局４の各機能である。
【００２１】
制御部１１０は、監視装置１１を制御する。回線切換部１１１、通信制御部１１２又はデータ取得部１１３等の上記監視装置の各機能は、制御部１１０において実行されるプログラムによって実現される。制御部１１０は、例えばＣＰＵ（Central Processing Unit）等の演算処理装置である。
【００２２】
回線切換部１１１は、通信回線を切り換える。監視装置１１には、無線装置１５、多重無線装置１６及び有線装置１７の通信装置が接続されている。回線切換部１１１は、接続された各通信装置との接続を切り換える。無線装置１５は、子機と無線通信を行う。多重無線装置１６は、子機と多重回線による無線通信を行う。有線装置１７は、子機と有線回線によって通信を行う。すなわち、回線切換部１１１は、接続された通信装置を切り換えることにより、子機との通信回線を切り換えることができる。図１で説明した観測局との通信は、上記無線装置１５、多重無線装置１６又は有線装置１７の通信装置のいずれかを用いた通信によって行うことができる。回線切換部１１１の回線の切り換えは、通信制御部１１２によって行われる。
【００２３】
通信制御部１１２は、子局との通信を制御する。通信制御部１１２は、回線切換部１１１を用いて無線装置１５、多重無線装置１６又は有線装置１７との接続を切り換え、無線装置１５、多重無線装置１６又は有線装置１７のいずれかの通信回線を使用して子局と通信する。通信制御部１１２はそれぞれの通信回線に応じた通信データ符号化及び複合化を行う。
【００２４】
データ取得部１１３は、第１データ取得部１１３１及び第２データ取得部１１３２を持つ。
第１データ取得部１１３１は、自律送信方式を採用している５４号観測局において観測された観測データを取得する。すなわち、第１データ取得部１１３１は、５４号観測局において予め設定された観測データを送信する時刻である送信時刻に５４号観測局から送信される観測データを、送信時刻に対応した受信時刻において受信することにより観測データを取得する。５４号観測局が観測データを送信する送信時刻は、図３において後述する時刻制御部において管理される。一方、受信時刻は時刻制御部１１５によって管理される。５４号観測局で管理される送信時刻と監視局１によって管理される受信時刻とは５４号で定められた誤差範囲の誤差を生じるため、第１データ取得部１１３１は、誤差を考慮した受信時刻を設定する。なお、本実施形態における送信時刻は、観測局が起動される起動時刻であるものとする。すなわち、観測局は送信時刻に起動されて、観測データの送信が可能になったときに観測データの送信を行う。従って、送信時刻と実際に観測データが送信される時刻とはタイムラグが発生する。後述する管理端末における５４号観測局からの観測データ取得においては、観測局の送信時刻（観測局が起動される時刻）に観測データの受信ができるようにするタイムスケジュールが設定される。
【００２５】
第２データ取得部１１３２は、観測装置呼出方式を採用している２１号観測局において観測された観測データを取得する。すなわち、第２データ取得部１１３２は、予め設定された時刻になったときに２１号観測局に対して呼出信号を送信し、呼出信号に対応して２１号観測局が送信する観測データを受信することにより観測データを取得する。第２データ取得部１１３２が呼出信号を送信する時刻である呼出時刻は、第１データ取得部１１３１が５４号観測局から送信される観測データを受信する時間と重複しないように所定のタイムスケジュールによって設定される。タイムスケジュールの設定の詳細は後述する。
【００２６】
中継制御部１１４は、中継局を制御する。中継局は、図１で説明した通り、監視局１と子局との通信を中継する。従って、監視局１が子局と通信を行う場合、中継局が正常に動作している必要がある。中継制御部１１４は、中継局が正常に動作しているか否かの動作状態を示すデータを取得する。また、中継局は、監視局と直接通信が困難な山岳地域に設置された子局との通信を中継するものである。このため、中継局自体も急峻な山岳の山頂等、商用電源の送電が困難な場所に設置されてバッテリで動作する場合がある。中継局がバッテリで動作をする場合等においては、中継局における消費電力の低減を図る必要がある。中継制御部１１４は、中継局が２１号観測局を中継するときには、監視局１と２１号観測局が通信するときにのみ中継局を起動し、通信が終了したときに中継局を停止する制御を行うことにより、中継局の省電力化を図ることが可能となる。なお、５４号観測局を中継する中継局は、中継局において予め設定された起動時間と停止時間において、又は５４号観測局からのイベント発生によって中継局が自らの電源状態を切り換える。
【００２７】
時刻制御部１１５は、タイマ（内部時計）の時刻を管理する。タイマはタイムスケジュールに基づき観測データを取得するときに利用される。時刻制御部１１５は、ＧＰＳアンテナ１１５１を介してＧＰＳ衛星が送信する電波の受信を制御するＧＰＳ装置である。時刻制御部１１５は、ＧＰＳ衛星から受信した電波に基づきタイマの時刻を校正し、所定の誤差の範囲内になるように管理する。時刻制御部１１５は、ＮＴＰ（Network Time Protocol）装置を制御してタイマを校正するものであってもよい。時刻制御部１１５は、ＮＰＴ装置を利用する場合、ネットワークにおける遅延時間を考慮してタイマを校正する。
【００２８】
試験制御部１１６は、子局との通信を試験するための試験信号を制御する。試験制御部１１６は、２１号観測局に対して試験信号の取得要求を送信する。２１号観測局は取得要求に応じて試験信号を監視局１に送信する。試験制御部１１６は、２１号観測局が送信した試験信号を取得する。２１号観測局との通信を試験するための試験信号は複数種類の試験信号を用いることができる。試験制御部１１６は、通信を試験するための試験信号を選択可能に管理端末１２に表示してもよい。
【００２９】
操作制御部１１７は操作卓１３及び操作盤１４を制御して、操作卓１３又は操作盤１４からのスイッチ等の操作による操作入力を取得し、操作卓１３又は操作盤１４に対してランプ等の表示出力を出力する。
【００３０】
外部Ｉ／Ｆ１１８は、管理端末１２と監視装置１１とを接続するためのＩ／Ｆである。外部Ｉ／Ｆ１１８は管理端末１２と所定の通信プロトコルで通信する。本実施形態では、監視装置１１と管理端末１２は１対１で接続される場合を例示するが、外部Ｉ／Ｆ１１９は、監視装置１１と管理端末１２を１対他、又は他対１で接続するものであってもよい。また、外部Ｉ／Ｆ１１９は、ネットワークを介して管理端末１２と接続するものであってもよい。
【００３１】
管理端末１２は、制御部１２０、スケジュール制御部１２１、データフォーマット制御部１２２、休止制御部１２３を持つ。管理端末１２は、例えばＰＣであり、キーボード・マウス等の入力部１２７、液晶ディスプレイ等の表示部１２８、プリンタ等の印字部１２９が接続されている。制御部１２０は、管理端末１２の上記各機能を制御する。
【００３２】
スケジュール制御部１２１は、スケジュール設定機能及びスケジュール通知機能を有する。
【００３３】
スケジュール設定機能とは、子局から観測データを取得するタイムスケジュールを管理端末１２の操作者が設定できるようにする機能である。スケジュール制御部１２１は、タイムスケジュールの設定又は変更（以下、タイムスケジュールの「設定」には「変更」を含むものとする。）を行うための表示画面（ユーザインターフェイス）を表示部１２８に表示する。操作者は表示された表示画面を見ながら入力部１２７を介してタイムスケジュールの入力を行う。スケジュール設定機能は、入力されたタイムスケジュールに基づき、５４号観測局から観測データを取得する時刻と２１号観測局から観測データを取得する時刻を調整して表示画面に反映することにより、操作者がタイムスケジュールを設定できるようにする。スケジュール制御部１２１は、設定されたタイムスケジュールを管理端末１２の図示しない記憶部等に記憶する。なお、タイムスケジュールを設定するための表示画面の詳細は後述する。
【００３４】
スケジュール通知機能とは、設定されたタイムスケジュールを記憶部等から読み出して、タイムスケジュールに基づいたスケジュールの通知を監視装置１１に対して行う機能である。例えば、スケジュール制御部１２１は、設定されたタイムスケジュールに基づき、監視装置１１の第１データ取得部１１３１に対して受信時刻を通知する。第１データ取得部１１３１は、スケジュール制御部１２１から通知された受信時刻に基づき通信制御部１１２等を介して５４号観測局から観測データを取得する。また、スケジュール制御部１２１は、設定されたタイムスケジュールに基づき、監視装置１１の第２データ取得部１１３２に対して呼出時刻を通知する。第２データ取得部１１３２は、通知された呼出時刻に基づき、通信制御部１１２等を介して２１号観測局に対して呼出信号を送信し、観測データを取得する。
【００３５】
データフォーマット制御部１２２は、観測データのフォーマット変換を制御する。上述の通り、２１号で定められた観測データのデータフォーマットと５４号で定められた観測データのデータフォーマットは異なる。本実施形態においてデータフォーマット制御部１２２は、２１号で定められた観測データのデータフォーマットを５４号で定められた観測データのデータフォーマットに変換し、データフォーマットを５４号に統一する。データフォーマットを統一することにより、観測データの表示、印字、又は上位局への送信において、同一のデータ構造を使用することが可能となり、５４号観測局と２１号観測局の両方を監視する監視局において観測データの取り扱いが容易になる。
【００３６】
なお、本実施形態では、データフォーマット制御部１２２は、データフォーマットを５４号に変換して統一する場合を説明するが、データフォーマット制御部１２２は、観測データを他のデータフォーマットに変換するものであってもよい。例えば、データフォーマット制御部１２２は、５４号のデータフォーマットの観測データを２１号のデータフォーマットに変換して統一するものであってもよい。データフォーマット制御部１２２は、操作者の指示によって統一するデータフォーマットを変更してもよい。また、データフォーマット制御部１２２は、上位局（例えば、複数の監視局を統括する統括局）からのリクエスト又は設定に基づき変換するデータフォーマットを変更するようにしてもよい。例えば、監視局１が２１号観測局のみを監視する場合であっても、他の監視局が５４号観測局を監視する場合、上位局は５４号観測局の観測データと２１号観測局の観測データを取得することになる。データフォーマット制御部１２２は、上位局からのリクエスト等に基づきデータフォーマットを変換することにより、上位局における観測データのデータフォーマットを統一させることができる。
【００３７】
休止制御部１２３は、子局から取得する観測データの休止を管理端末１２の操作者が設定できるようにする機能である。観測データの休止の設定とは、子局が送信する観測データの中で、所定の観測値（データ）を取得しないようにする設定である。観測データは、複数の観測値（２量、１０量等の複数のデータ）を含んで構成されている。本実施形態では、それぞれの観測値のことを「ワード」という。１ワードは観測データの中で所定のビット数によって構成される。例えば、観測値１量当り３２ビットで構成される。休止制御部１２３は、ワード単位で取得しない観測値を設定する。例えば、センサに突発的な故障が発生した場合、故障したセンサに対応したワードが欠落する。欠落したワードが発生した場合、監視局１はそのワードを欠測（測定できなかった）として観測データを記録する。しかし、例えばセンサの一時的な休止等によってワードの欠落が発生することが予め分かっている場合、そのワードについての休止を設定することにより、センサの突発的な故障との区別をすることが可能となる。休止制御部１２３は、観測局毎に休止となるワードを設定可能とすることにより、欠落したワードを欠測扱いしないようにすることができる。
【００３８】
ところで、本実施形態においては、上述の通り、監視局１は５４号観測局と２１号観測局の２つの仕様の子局から観測データを取得する。休止制御部１２３は、５４号観測局から取得する観測データについてワード毎の休止の設定（休止設定）を可能にするとともに、２１号観測局から取得する観測データについてワード毎の休止設定を可能にする。
【００３９】
休止制御部１２３は、休止設定を行うための表示画面を表示部１２８に表示する。操作者は表示された表示画面を見ながら入力部１２７を介して休止するワードを選択する。休止制御部１２３は、選択された休止設定を管理端末１２の図示しない記憶部等に記憶する。なお、休止設定の表示画面の詳細は後述する。
【００４０】
次に、図３を用いて、５４号観測局（子局）として例示する第１の観測局のシステム構成を説明する。図３は、実施形態の第１の観測局のシステム構成の一例を示す図である。図３において、観測局２１は、制御部２１００、センサ通信部２１１０、時刻制御部２１２０、通信制御部２１３０、回線切換部２１４０、電源部２１５０を持つ。
【００４１】
制御部２１００は、第１の観測局２１を制御する。センサ通信部２１１０等の上記第１の観測局の各機能は、制御部２１００において実行されるプログラムによって実現される。制御部２１００は、例えばＣＰＵ等の演算処理装置である。
【００４２】
センサ通信部２１１０は、水位計２１１１、雨量計２１１２、積雪量計２１１３等の各センサと通信し、各センサが測定した測定データを取得する。水位計２１１１は、河川等の水位を測定する。雨量計２１１２はセンサ設置場所の雨量を測定する。積雪量計２１１３は、センサ設置場所の積雪量を測定する。センサ通信部２１１０に接続されるセンサの種類又は数は任意である。センサは、例えば、道路気象に関して、気温、路面温度、風速、風向等を測定するものであってもよい。また、センサは、水質に関して、水温、ｐＨ、電気伝導度、濁度、溶存酸素等を測定するものであってもよい。
【００４３】
センサ通信部２１１０が各センサから取得した測定データは、制御部２１００において１次演算処理される。１次演算処理とは、例えば測定データの補正や単位変換である。各センサから取得した測定データは、センサの型式、設置場所等により測定誤差を含む場合がある。制御部２１００は、取得された測定データに基づき、測定データを補正する１次処理を行うことにより、誤差を補正した観測データを生成する。また、各センサから出力される測定データは、センサが出力する電圧値や電流値である場合があり、制御部２０は、電圧値等の測定データに基づき、水位（ｍ）、雨量（ｍｍ）、積雪量（ｍｍ）、気温（度）、ペーハー（ｐＨ）等、データの意味を理解可能な単位に単位変換した観測データを生成する。
【００４４】
センサ通信部２１１０は、取得した測定データ１量を１ワードとして観測データを生成する。取得した測定データをどのワードに割り当てるかは予め設定される。センサ通信部２１１０は、予め設定された割り当てに基づき、測定データをワードに割り当てる。例えば、測定データが水位、雨量、及び積雪量の３データである場合、センサ通信部２１１０は、１ワード目に水位、２ワード目に雨量、及び３ワード目に積雪量を割り当てる。ここで、水位計２１１１が故障等によって測定データが取得できない場合、センサ通信部２１１０は、１ワード目に測定データが無効であることを示すデータを入力し、２ワード目に雨量、及び３ワード目に積雪量を入力した観測データを生成する。すなわち、センサ通信部２１１０は、センサの故障等によって測定データを取得できない場合であっても、予め設定された測定データとワードの割り当ては変更しない。監視局１は、予め設定された割り当てに基づきワードに含まれる測定データの種類を判断することができる。
【００４５】
時刻制御部２１２０は、タイマ（内部時計）の時刻を管理する。観測データを送信する送信時刻は、タイマに基づき判断される。時刻制御部２１２０は、ＧＰＳアンテナ２１２１を介してＧＰＳ衛星が送信する電波の受信を制御するＧＰＳ装置である。時刻制御部２１２０は、ＧＰＳ衛星から受信した電波に基づきタイマの時刻を校正し、所定の誤差の範囲内になるように管理する。時刻制御部２１２０は、ＮＴＰ（Network Time Protocol）装置を制御してタイマを校正するものであってもよい。時刻制御部２１２０は、ＮＰＴ装置を利用する場合、ネットワークにおける遅延時間を考慮してタイマを校正する。
【００４６】
通信制御部２１３０は、監視局１との通信を制御する。通信制御部２１３０は、時刻制御部２１２０のタイマに基づき、観測データを送信する送信時刻であるか否かを判断する。通信制御部２１３０は、送信時刻であると判断した場合、センサ通信部２１１０において生成された観測データを監視装置１に送信する。
【００４７】
送信時刻は、第1の観測局毎に他の第１の観測局と重複しないように設定する。例えば、図１で説明した監視システムにおいて、第1の観測局は、第1の観測局２１１〜第1の観測局２１４等の複数の観測局が監視局１に接続されており、それぞれの第１の観測局の送信時刻は所定の時間差をもって設定する。監視局１はそれぞれの第１の観測局の送信時刻に基づき受信時刻が決められたタイムスケジュールを設定し、タイムスケジュールに従ってそれぞれの第１の観測局の観測データを逐次取得していく。
【００４８】
なお、通信制御部２１３０から送信される観測データには、過去の送信時刻で送信された測定データを含んでいてもよい。観測データに過去の送信時刻で送信された測定データを含ませることにより、監視局１は、観測データの取得に失敗した場合であっても、次の送信時刻に過去の測定データを取得可能になる。
【００４９】
通信制御部２１３０は、回線切換部２１４０に対して通信に使用する通信回線の切り換えを指示して、無線装置２１６０、多重無線装置２１７０又は有線装置２１８０のいずれかの通信回線を用いて監視局と通信する。通信制御部２１３０はそれぞれの通信回線に応じた通信データの符号化及び複号化を行う。
【００５０】
回線切換部２１４０は、通信制御部２１３０が使用する通信回線を切り換える。回線切換部２１４０は、無線装置２１６０、多重無線装置２１７０又は有線装置２１８０との接続を切り換えることにより通信回線を切切り換える。無線装置２１６０、多重無線装置２１７０及び有線装置２１８０は、図２で説明した監視局１に接続される、無線装置１５、多重無線装置１６及び有線装置１７とそれぞれの通信回線において通信する。
【００５１】
電源部２１５０は、観測局２１で使用する電力を供給する。電源部２１５０は、商用電源からの電力又はバッテリからの電力を供給する。制御部２１００は、電源部２１５０が供給する電力の低下等の電源の異常を監視して、電源に異常が発生した場合、通信制御部２１３０を介して電源の異常を監視局１に通信するようにしてもよい。
【００５２】
制御部２１００は、電源部２１５０からの電力供給状態に応じて観測局２の起動の状態を変更するようにしてもよい。例えば、通常は監視局１からの通信を受信できるだけの電力供給状態（「停止状態」又は「省電力状態」という。）にしておき、監視局１との通信を行うときに、上述した測定データの取得、観測データの生成、観測データの送信、試験信号の送信等の動作を行うことができる電力供給状態（「起動状態」という。）としてもよい。観測データの送信等の通信が終了したときには、制御部２１００は、再び停止状態に戻すようにしてもよい。
【００５３】
なお、制御部２１００は、監視局１との通信を時刻制御部２１２０のタイマに基づいた送信時刻に合わせて電力供給状態を変更する。例えば、制御部２１００は、送信時刻の数秒前に電力供給状態を停止状態から起動状態にして、観測データの送信が終了したときに電力供給状態を起動状態から停止状態にしてもよい。
【００５４】
次に、図４を用いて、２１号観測局（子局）として例示する第２の観測局のシステム構成を説明する。図４は、実施形態の第２の観測局のシステム構成の一例を示す図である。図４において、観測局２２は、制御部２２００、センサ通信部２２１０、呼出制御部２１２０、試験部２２３０，通信制御部２２４０、回線切換部２２５０、及び電源部２２６０を持つ。
【００５５】
制御部２２００は、第２の観測局２２を制御する。センサ通信部２２１０等の上記第２の観測局の各機能は、制御部２２００において実行されるプログラムによって実現される。制御部２２００は、例えばＣＰＵ等の演算処理装置である。
【００５６】
センサ通信部２２１０、水位計２２１１、雨量計２２１２及び積雪量計２２１３は、それぞれ図３で説明したセンサ通信部２１１０、水位計２１１１、雨量計２１１２及び積雪量計２１１３と同様の機能であるため説明を省略する。センサ通信部２２１０に接続されるセンサの種類又は数が任意であることもセンサ通信部２１１０と同様である。
【００５７】
センサ通信部２２１０が各センサから取得した測定データは、制御部２２００において１次演算処理される。制御部２２００において実行される１次演算処理は図３において説明した制御部２１００において実行される１次演算処理と同様である。
【００５８】
センサ通信部２２１０は、センサ通信部２１１０と同様に、取得した測定データ１量を１ワードとして観測データを生成する。取得した測定データをどのワードに割り当てるかは予め設定される。センサ通信部２２１０は、予め設定された割り当てに基づき、測定データをワードに割り当てる。
【００５９】
呼出制御部２２２０は、監視局１の第２データ取得部１１３２から送信される呼出信号を受信して、センサ通信部２２１０が取得した測定データに基づく観測データを監視局１に送信する。呼出信号には第２の観測局２２が送信可能な観測データの中で取得対象を指定する指定情報を含んでいてもよい。指定情報は、例えば、水位、雨量等、個別の観測データを指定する。呼出制御部２２２０は、指定された観測データを監視局に送信する。なお、観測データには、上述した水位等の気象データ以外に、例えば電源の異常、観測所のドアの開閉等の特殊情報を含んでいてもよい。
【００６０】
試験部２２３０は、図２の試験制御部１１６から送信される試験信号の取得要求に対応した試験信号を送信する。試験信号は第２の観測局と監視局１の通信状況を試験するために用いられる。試験信号は例えば、Ｓ／Ｎ制御信号、Ｎ制御信号、１ＫＨｚ信号、マーク信号又はスペース信号等である。
【００６１】
通信制御部２２４０は、監視局１との通信を制御する。通信制御部２２４０は、呼出制御部２２２０が監視局１から受信した呼出信号に応じて、センサ通信部２２１０において生成された観測データを監視装置１に送信する。
【００６２】
通信制御部２２４０、回線切換部２２５０、及び電源部２２６０は、図３で説明した通信制御部２１３０、回線切換部２１４０、及び電源部２１５０と同様の機能であるため説明を省略する。
なお、制御部２２００は、監視局１から受信した呼出信号等に応じて電力供給状態を変更する。例えば、制御部２２００は、監視局１から呼出信号等を受信したときに電力供給状態を停止状態から起動状態にして、観測データの送信が終了したときに電力供給状態を起動状態から停止状態にしてもよい。
【００６３】
次に、図５を用いて、中継局のシステム構成を説明する。図５は、実施形態の中継局のシステム構成の一例を示す図である。図５において、中継局４は、制御部４０、中継制御部４１、状態返送部４２、試験部４３及び電源部４４の各機能を持つ。
【００６４】
制御部４０は、中継局４を制御する。中継制御部４１等の上記中継局４の各機能は、制御部４０において実行されるプログラムによって実現される。制御部４０は、例えばＣＰＵ等の演算処理装置である。
【００６５】
中継制御部４１は、監視局１と子局との通信の中継を制御する。中継制御部４１は、無線受信機１号４１１、無線受信機２号４１２、無線送信機１号４１３、無線送信機２号４１４を制御する。中継制御部４１は、監視局１から受信する通信データを中継局４に接続された子局に対して中継する。
【００６６】
無線受信機１号４１１及び無線受信機２号４１２は、通信データを受信する。中継制御部４１は、無線受信機１号４１１又は無線受信機２号４１２の少なくともいずれか一の受信機を動作させて、監視局１又は子局から送信された通信データを受信する。無線受信機１号４１１及び無線受信機２号４１２が同一周波数帯を利用する無線装置である場合、中継制御部４１は、いずれか一方の無線装置を使用して他方の無線装置は予備として、一方の無線装置に不具合が発生した場合他方の無線装置からの通信に切り換える。また、無線受信機１号４１１及び無線受信機２号４１２が異なる周波数帯を利用する無線装置である場合、中継制御部４１は、いずれか一方の無線装置を使用して他方の無線装置は予備として使用する以外に、無線受信機１号４１１及び無線受信機２号４１２の両方を使用して無線通信を多重化するようにしてもよい。
【００６７】
また、無線送信機１号４１３及び無線送信機２号４１４は、通信データを送信する。中継制御部４１は、無線送信機１号４１３又は無線送信機２号４１４の少なくともいずれか一の送信機を動作させて、無線受信機１号４１１又は無線受信機２号４１２が受信した通信データを監視局１又は子局に対して送信することにより、通信データを中継する。無線送信機１号４１３及び無線送信機２号４１４が同一周波数帯を利用する無線装置である場合、中継制御部４１は、いずれか一方の無線装置を使用して他方の無線装置は予備として、一方の無線装置に不具合が発生した場合他方の無線装置からの通信に切り換える。また、無線送信機１号４１３及び無線送信機２号４１４が異なる周波数帯を利用する無線装置である場合、中継制御部４１は、いずれか一方の無線装置を使用して他方の無線装置は予備として使用する以外に、無線送信機１号４１３及び無線送信機２号４１４の両方を使用して無線通信を多重化するようにしてもよい。
【００６８】
状態返送部４２は、図２で説明した監視局１の中継制御部１１４からの動作状態の取得要求に対して、中継局４の動作状態データを返送する。中継局４の動作状態とは、例えば、電源部４４から供給される電力の電力供給状態である。制御部４０は、バッテリの省電力のため、監視局と子局が通信するときにのみ中継動作を行う電力供給制御を行うことができる。
【００６９】
中継局４が２１号に定める中継局である場合、制御部４０は、中継制御部１１４から起動を指示する信号を受信して、中継動作が可能な電力供給状態（起動状態）にするとともに、中継制御部１１４から停止を指示する信号を受信して、監視局からの通信データを受信をすることができる電力供給状態（省電力状態）にする、電力供給状態の制御を行う。状態返送部４２は、中継制御部１１４から起動を指示する信号を受信したときに、起動状態になったことを示す動作状態を監視局に対して返送する。
【００７０】
一方、中継局４が５４号に定める中継局である場合、制御部４０は、監視局１との通信を図示しないタイマに基づいた５４号観測局の送信時刻に応じて電力供給状態を変更する。例えば、制御部４０は、中継する５４号観測局の送信時刻の数秒前に電力供給状態を停止状態から起動状態にして、観測データの送信が終了したときに電力供給状態を起動状態から停止状態にしてもよい。制御部４０は、送信時刻から予め設定された時間が経過することにより観測データの送信の終了を判断する。また、中継する５４号観測局が複数であり、複数の５４号観測局の送信時刻が連続している場合、制御部４０は、連続した送信時刻の最初の送信時刻に応じて電力供給状態を起動状態にするとともに、連続した送信時刻の最後の送信時刻に応じて（送信終了に応じて）、電力供給状態を停止状態にする。
【００７１】
試験部４３は、図２で説明した監視局１の試験制御部１１６から取得した試験信号取得要求に対して、中継局４の動作試験を実施する。動作試験は、電力供給状態を省電力状態から起動状態に切り換える動作が正常に行われるか否かを試験する。試験部４３は、電力供給状態を切り換えるとともに、動作状態を監視局１に返送する。
【００７２】
電源部４４は、中継局４で使用する電力を供給する。電源部４４は、商用電源からの電力又はバッテリからの電力を供給する。制御部４０は、電源部４４が供給する電力の低下等の電源の異常を監視して、電源に異常が発生した場合、中継制御部４１を介して電源の異常を監視局１に通信するようにしてもよい。
【００７３】
次に、図６及び図７を用いて、監視システムにおける、第１の観測局（５４号観測局）からの観測データ取得動作、及び第２の観測局（２１号観測局）からの観測データ取得動作を説明する。図６の観測データ取得動作と図７の観測データ取得動作は、連続して行われる。
【００７４】
先ず、図６を用いて、監視システムにおける第１の観測局（５４号観測局）からの観測データ取得動作を説明する。図６は、実施形態の第１の観測局からの観測データ取得動作を示すシーケンス図である。
【００７５】
図６において、監視システムは、図１で説明した通り、監視局１、第１の観測局２１１、第１の観測局２１２、ＣＨ２中継局４０２、第１の観測局２１３及び第１の観測局２１４を持つ。
【００７６】
図６（ａ）〜（ｄ）は、監視局１がＣＨ１及びＣＨ２の第１の観測局２１１〜第１の観測局２１４から観測データを取得する動作である。ＣＨ１の第１の観測局２１１及び第１の観測局２１２は、中継局を介さずに監視局１と直接通信する。ＣＨ２の第１の観測局２１３及び第１の観測局２１４は、中継局４０２を介して監視局１と通信する。
【００７７】
第１の観測局２１１は、第１の観測局２１１の送信時刻に従い、観測データを監視局１に送信する（ａ）。次に、第１の観測局２１２は、第１の観測局２１２の送信時刻に従い、観測データを監視局１に送信する（ｂ）。第１の観測局２１１の送信時刻と第１の観測局２１２の送信時刻には、所定の時間間隔が設けられる。例えば、第１の観測局２１１の送信時刻をｔ０、とすると、第１の観測局２１１から観測データを送信するための送信時間をＴ１とすると、第１の観測局２１２の送信時刻ｔ１は、ｔ１＞ｔ０＋Ｔ１になるように設定する。第１の観測局２１１の観測データの送信が終了してから第１の観測局２１２の送信時刻までの時間間隔（インターバル）である、Ｉ１＝ｔ１−（ｔ０＋Ｔ１）を局間時間という。すなわち、送信時刻ｔ１＝ｔ０＋Ｔ１＋Ｉ１である。
【００７８】
中継局４０２は、ＣＨ２の第１の観測局２１３の送信時刻より前に設定された起動時刻に自らの電力供給状態を停止状態から起動状態として、通信の中継が可能な状態にする。中継局の電力供給状態を停止状態から起動状態にするには所定の起動時間が必要となるため、中継局４０２においては、起動時間を考慮して起動時刻を設定しておく。
【００７９】
第１の観測局２１３は、第１の観測局２１３の送信時刻に従い、中継局４０２を介して観測データを監視局１に送信する（ｃ）。次に、第１の観測局２１４は、第１の観測局２１４の送信時刻に従い、中継局４０２を介して観測データを監視局１に送信する（ｄ）。
【００８０】
中継局４０２は、ＣＨ２の第１の観測局２１３及び第１の観測局２１４の観測データの送信が終了すると、停止時刻に電力供給状態を起動状態から停止状態として、省電力状態になる。停止時刻は、第１の観測局２１４の観測データの送信が終了した後、所定時間が経過した後に設定される。
図６の観測データ取得動作を終了後、監視局１は、図７の観測データ取得動作を開始する。
【００８１】
次に、図７を用いて、監視システムにおける第２の観測局（２１号観測局）からの観測データ取得動作を説明する。図７は、実施形態の第２の観測局からの観測データ取得動作を示すシーケンス図である。
【００８２】
図７において、監視システムは、図１で説明した通り、監視局１、ＣＨ３中継局４０３、第２の観測局２２１、第２の観測局２２２、第２の観測局２２３及び第２の観測局２２４を持つ。
【００８３】
図７（ａ）〜（ｌ）は、監視局１がＣＨ３の第２の観測局２２１〜第２の観測局２２４から観測データを取得する動作である。ＣＨ３の第２の観測局２２１〜第２の観測局２２４は、中継局４０３を介して監視局１と通信する。
【００８４】
監視局１は、中継局４０３に対して起動指令を送信する（ａ）。中継局４０３は起動指令を受信すると中継局４０３を起動状態にして通信を中継可能な状態にする。中継局４０３は、監視局１に対して、中継局４０３が起動中であることを示す動作状態を返送する（ｂ）。
【００８５】
中継局４０３が起動中であることを示す動作状態を返送された監視局１は、第２の観測局２２１に対して中継局４０３を介して呼出信号を送信する（ｃ）。呼出信号に対して、第２の観測局２２１は観測データを返送する（ｄ）。第２の観測局２２１から観測データを取得した監視局１は、第２の観測局２２２に対して中継局４０３を介して呼出信号を送信する（ｅ）。呼出信号に対して、第２の観測局２２２は観測データを返送する（ｆ）。同様に、監視局１は、第２の観測局２２３及び第２の観測局２２４から観測データを取得する（ｇ）〜（ｊ）。
なお、監視局１は、観測データを取得できなかった観測局に対しては再度呼出信号を送付して観測データを取得してもよい。また、監視局１は、観測データを取得できなかった場合、後述する休止設定がされているときを除き、観測データの欠測として記録する。
【００８６】
ＣＨ３の全ての観測局から観測データを取得した監視局１は、中継局４０３に対して停止指令を送信する（ｋ）。中継局４０３は停止指令を受信すると中継局４０３を停止状態にする。中継局４０３は、監視局１に対して、中継局４０３が停止中であることを示す動作状態を返送する（ｌ）。
【００８７】
本実施形態では、第１の観測局（５４号観測局）からの観測データを取得した後に第２の観測局（２１号観測局）からの観測データを取得する。第１の観測局からの観測データの取得は、上述の通り５４号観測局にいて予め定められた送信時刻において観測データが送信されることによって行われるため、観測データ取得のタイミングは監視局１では変更できない。一方、第２の観測局からの観測データの取得は、２１号観測局に対して呼出信号を送付するタイミング行うことができるので、観測データ取得のタイミングは監視局１で制御することができる。５４号観測局から観測データを取得した後に２１号観測局から観測データを取得することにより、５４号観測局からの観測データを定時で取得するとともに、２１号観測局からの観測データの取得は、５４号観測局からの観測データの取得が終了してから監視局１が制御可能なタイミングで開始することができる。従って、５４号観測局と２１号観測局が混在する監視システムにおいても両方の観測データを取得することが可能となる。
【００８８】
次に、図８を用いて、図６及び図７のシーケンス図を用いて説明した、第１の観測局及び第２の観測局からの観測データ取得動作を説明する。図８は、実施形態の第１の観測局及び第２の観測局からの観測データ取得動作を示すタイミングチャートである。
【００８９】
図８において、図８（Ａ）は、第１の観測局（５４号観測局）からの観測データの取得動作を示し、図８（Ｂ）は、第２の観測局（２１号観測局）からの観測データの取得動作を示す。
図８に示すｔ０〜ｔ１８は、所定の時刻を示す。ｔ０から次にｔ０までの時間を定時間隔として、５４号観測局からの観測データの取得動作と２１号観測局からの観測データの取得動作を行う。定時間隔は、例えば１０分、５分等、任意の時間を設定することができる。
【００９０】
図８（Ａ）において、ｔ０は、第１の観測局２１１の送信時刻である。ｔ２は、第１の観測局２１２の送信時刻である。ｔ５は、第１の観測局２１３の送信時刻である。ｔ７は、第１の観測局２１４の送信時刻である。Ｔ１は第１の観測局２１１が送信する観測データのデータ量に応じて設定する送信時間である。Ｔ２は第１の観測局２１２が送信する観測データのデータ量に応じて設定する送信時間である。Ｔ３は第１の観測局２１３が送信する観測データのデータ量に応じて設定する送信時間である。Ｔ４は第１の観測局２１４が送信する観測データのデータ量に応じて設定する送信時間である。Ｉ１は、第１の観測局２１１と第１の観測局２１２の観測データ受信のインターバルである局間時間である。Ｉ２は、第１の観測局２１２と第１の観測局２１３の観測データ受信の局間時間である。Ｉ３は、第１の観測局２１３と第１の観測局２１４の観測データ受信の局間時間である。Ｉ４は、第１の観測局２１４の観測データ受信から中継局４０２を停止状態にするまでの時間である。
【００９１】
第１の観測局２１１は、ｔ０において観測データの送信を開始する。監視局１は、第１の観測局２１１の送信時間Ｔ１で観測データを受信する。監視局１は、ｔ０から送信時間Ｔ１が経過したｔ１から、第１の観測局２１２の送信時刻であるｔ２まで、局間時間Ｉ１を設ける。送信時刻等を定めるタイマは、所定の誤差を含むため、誤差に比べて十分長い局間時間を設けることにより、観測データ受信の重複を避けることができる。
【００９２】
監視局１は、同様に、第１の観測局２１２から送信時間Ｔ２で観測データを受信し、局間時間Ｉ２の後に、第１の観測局２１３から送信時間Ｔ３で観測データを受信し、さらに局間時間Ｉ３の後に、第１の観測局２１４から送信時間Ｔ４で観測データを受信する。
中継局４０２は、第１の観測局２１３の送信時刻ｔ５より所定の時間早いｔ４において起動状態となり、第１の観測局２１４からの観測データの送信時間Ｔ４が終了する時刻ｔ８が経過した後、所定の時間遅いｔ９において停止状態となる。
【００９３】
図８（Ｂ）において、ｔ１０は、第２の観測局２１１に呼出信号を送信する呼出時刻である。ｔ１２は、第２の観測局２１２に呼出信号を送信する呼出時刻である。ｔ１４は、第２の観測局２１３に呼出信号を送信する呼出時刻である。ｔ１６は、第２の観測局２１４に呼出信号を送信する呼出時刻である。ｔ１１、ｔ１３、ｔ１５及びｔ１７は、それぞれ第２の観測局２１１〜第２の観測局２１４からの観測データの所得が終了する時刻である。なお、複数の２１号観測局から観測データを取得する際には、前の２１号観測局からの観測データの取得が終了したのを確認してから呼出信号を送信するため、５４号観測局において設定した局間時間は設けない。従って、例えば、第２の観測局２１１からの観測データの所得が終了するｔ１１とｔ１２の間隔は任意である。
【００９４】
時刻ｔ９において、監視局１は、中継局４０３を起動状態にする。監視局１は、中継局４０３が起動状態になるまでの時間Ｉ５を待機した後に、呼出時刻ｔ１０において第２の観測局２１１に呼出信号を送信して観測データを取得する。監視局１は、同様に、呼出時刻ｔ１２において第２の観測局２１２に呼出信号を送信して観測データを取得し、呼出時刻ｔ１４において第２の観測局２１３に呼出信号を送信して観測データを取得し、さらに、呼出時刻ｔ１６において第２の観測局２１４に呼出信号を送信して観測データを取得する。ＣＨ３の観測局からの観測データの取得が終了した後、時刻ｔ１８において、監視局１は、中継局４０３を停止状態にする。
【００９５】
次に、図９〜図１１を用いて、第１の観測局から観測データを取得するスケジュールの設定を説明する。図９〜図１１は、実施形態の第１の観測局からの観測データ取得スケジュールの設定を示す図である。
【００９６】
図９において、制御画面１０００は、図２で説明した管理端末１２の表示部１２８に表示される表示画面である。制御画面１０００は、現況データ１００１、システム監視１００２、観測履歴１００３、表示／設定１００４、保守１００５及び２１号ソフト１００６の選択ボタンを持つ。なお、以下において説明する選択ボタンは、例えば、マウスによって制御画面１０００に表示されたカーソルを選択ボタンの上に移動してクリックをすることにより選択ボタンが押下されて選択操作が可能なユーザーインターフェイスである。
【００９７】
現況データ１００１、システム監視１００２、観測履歴１００３、表示／設定１００４、保守１００５及び２１号ソフト１００６は、いずれか一の選択ボタンを選択することにより、制御画面１０００の表示画面を変更する。図９における制御画面１０００は、表示／設定１００４の選択ボタンが選択されていることを示している。
【００９８】
現況データ１００１は、それぞれの観測局から取得した観測データを表示するための表示画面に切り換える選択ボタンである。現況データ１００１を選択したときの表示画面の詳細は図１７を用いて後述する。
【００９９】
システム監視１００２は、それぞれの観測局、中継局等のシステム状態を監視するための表示画面に切り換える選択ボタンである。システム監視１００２の表示画面においては、例えば、観測局、中継局又は上位局が稼働中であるか停止中であるか、障害が発生していないか等の動作状態、観測局、中継局又は上位局との通信に異常が発生しているか等の通信状態、観測データの欠測情報等の情報を表示することができる。システム監視１００２の表示画面に表示する情報は、障害等が発生した時間順、障害等が発生した局順、又は障害等の種別順に並び順を整列してもよい。
【０１００】
観測履歴１００３は、それぞれの観測局から観測データを取得した履歴を表示するための表示画面に切り換える選択ボタンである。観測データを取得した履歴は、例えば、観測データの取得に成功したか否かの履歴である。観測履歴１００３の表示画面によって、所定の期間観測データを取得がされていない観測局を確認することができる。また、観測履歴１００３の表示画面においては、過去のデータを検索して参照できるようにしてもよい。過去のデータを検索できるようにすることにより、データの解析等が容易となる。
【０１０１】
保守１００５は、観測システムの保守をするための表示画面に切り換える選択ボタンである。保守１００５の表示画面においては、例えば、それぞれの観測局や中継局の保守状況を表示する。
【０１０２】
２１号ソフト１００６は、２１号に基づくテレメータ装置を制御するための表示画面に切り換える選択ボタンである。本実施形態においては、２１号観測局を制御するための機能を管理端末１２に搭載して監視装置１１を制御することにより、２１号観測局専用の監視装置を設置しなくてもよい。
【０１０３】
表示／設定１００４は、図９に図示する、表示画面に切り換える選択ボタンである。表示／設定１００４の表示画面は、時刻表示部１００７、受信間隔１００８、タイムスケジュール１０２１、休止設定１０２２、上位装置（１）１０９１、上位装置（２）１０９２、上位装置（３）１０９３、手動禁止１０９４、測定中１０９５、受信障害１０９６、システム終了１０９７、タイムスケジュール設定画面１０１０を持つ。
【０１０４】
時刻表示部１００７は、現在の時刻の表示である。受信間隔１００８は、５４号観測局から観測データを取得する定時間隔を表示する選択ボタンである。受信間隔１００８の選択ボタンを選択することにより観測データを取得する定時の間隔を変更する表示画面を表示できるようにしてもよい。なお、受信間隔１００８に表示される時間は、図８で説明したｔ０〜ｔ０の時間である。
【０１０５】
タイムスケジュール１０２１は、タイムスケジュール設定画面１０１０を表示させるための選択ボタンである。図９は、タイムスケジュール１０２１が選択されていることを示している。休止設定１０２２は、図１２を用いて後述する、休止設定画面１０４０を表示させるための選択ボタンである。タイムスケジュール１０２１と休止設定１０２２は、いずれかの選択ボタンを選択して選択状態を切り換えることにより、タイムスケジュール設定画面１０１０の表示と休止設定画面１０４０の表示を切り換えることができる。
【０１０６】
上位装置（１）１０９１、上位装置（２）１０９２、及び上位装置（３）１０９３は、上位装置（上位局）との通信状態を示す表示である。例えば、上位局との通信異常が発生した場合、上位装置（１）１０９１、上位装置（２）１０９２、及び上位装置（３）１０９３の表示色を緑から赤に変える。
【０１０７】
手動禁止１０９４、測定中１０９５及び受信障害１０９６は、監視装置１１の状態を示す表示である。手動禁止１０９４は、監視局１からの子局又は中継局の手動操作が禁止された状態であることを示す。測定中１０９５は、監視装置１１が子局から観測データを受信中であることを示す。受信障害１０９６は、監視装置１１による子局からの観測データの受信に障害が発生中であることを示す。システム終了１０９７は、管理端末１２を停止させるための選択ボタンである。
【０１０８】
タイムスケジュール設定画面１０１０は、タイムスケジュール１０２１の選択ボタンを選択することによって表示される。タイムスケジュール設定画面１０１０は、タイムスケジュール設定部１０３０を持つ。また、タイムスケジュール設定画面１０１０は、ｍｓ／ｓ切換１０１１、及び設定１０１２の選択ボタンを持つ。ｍｓ／ｓ切換１０１１は、タイムスケジュール設定部１０３０に表示される時刻及び時間の単位をｍｓ（m sec）とｓ（sec）とで切り換える選択ボタンである。設定１０１２は、タイムスケジュール設定部１０３０において設定した値を確定しタイムスケジュール設定部１０３０の設定を保存するための選択ボタンである。
【０１０９】
タイムスケジュール設定部１０３０は、表形式の設定画面である。タイムスケジュール設定部１０３０は、管理端末１２の操作者が５４号観測局の観測データを受信するタイムスケジュールを設定するための表示画面である。タイムスケジュールの設定は、例えば表示画面に表示されたタイムスケジュール設定部１０３０内の設定項目をマウスによってクリック等をすることによって選択し、選択された設定項目にキーボード等から数値等を入力することによって行うことができる。タイムスケジュール設定部１０３０は、Ｎｏ１０３１、系統１０３２、受信ライン１０３３、観測局１０３４、観測局起動時刻１０３５、送信時間１０３６、局間時間１０３７、回線切換時刻１０３８の項目を持つ。
【０１１０】
Ｎｏ１０３１は、タイムスケジュール設定部１０３０の行番号を示す項目である。系統１０３２は、図１で説明したＣＨを示す項目である。受信ライン１０３３は、子局と通信する通信回線を示す項目である。図２等においては、監視局と子局との通信を行う通信回線として、無線装置、多重無線装置、又は有線装置を切り換える場合を説明したが、受信ライン１０３３によって、いずれかの通信装置における通信回線を設定することができる。図９においては、系統“１”の観測局は“２”の受信ラインが設定され、系統“２”の観測局は“３”の受信ラインが設定されていることを示している。観測局１０３４は、５４号観測局を特定する項目である。
【０１１１】
観測局起動時刻１０３５は、図８において説明した、観測局毎に設定する送信時刻である。図９は、観測局２１１、観測局２１２、観測局２１３、及び観測局２１４、の観測局起動時刻１０３５が、それぞれ、ｔ０、ｔ２、ｔ５、及びｔ７に設定されていることを示している。なお、図９は、説明のため時刻及び時間を図８と対比しやすいようにｔ０、Ｔ１等の符号で説明するが、実際のタイムスケジュール設定部１０３０には図１０等に示すように数値が入力される。
【０１１２】
送信時間１０３６は、それぞれの観測局から送信される観測データのデータ量に応じて設定される時間である。送信時間１０３６は、例えば、観測データに含まれる測定データが２量（２ワード）である場合と、１０量（１０ワード）である場合で、約８ワード分の送信時間の差が生じる。図９は、観測局２１１、観測局２１２、観測局２１３、及び観測局２１４、の送信時間１０３６が、それぞれ、Ｔ１（ｔ０→ｔ１）、Ｔ２（ｔ２→ｔ３）、Ｔ３（ｔ５→ｔ６）、及びＴ４（ｔ７→ｔ８）に設定されていることを示している。
【０１１３】
局間時間１０３７は、観測データを受信する受信先を切り換えるためのインターバル時間が設定される。図９は、観測局２１１、観測局２１２、観測局２１３、及び観測局２１４、の局間時間１０３７が、それぞれ、Ｉ１（ｔ１→ｔ２）、Ｉ２（ｔ３→ｔ５）、Ｉ３（ｔ６→ｔ７）、及びＩ４（ｔ８→ｔ９）に設定されていることを示している。
【０１１４】
回線切換時刻１０３８は、受信ライン１０３３で設定された通信回線に切り替える時刻である。図９は、受信ラインが“２”の観測局２１２から、受信ラインが“３”の観測局２１３に受信先を切り換える時刻がｔ４であり、受信ラインが“３”の観測局２１４から次の受信ラインに受信先を切り換える時刻がｔ９であることを示している。回線切換時刻は、局間時間になるように設定される。例えば、回線切換時刻ｔ４は、局間時間Ｉ２（ｔ３→ｔ５）になるように設定する。
【０１１５】
図８において、観測局起動時刻１０３５、送信時間１０３６、局間時間１０３７、回線切換時刻１０３８のそれぞれの設定項目はお互いに影響されるため、いずれかの設定項目を変更した場合、他の設定項目を変更する必要がある。例えば、観測局２１２の観測局起動時刻は、観測局２１１の観測局起動時刻ｔ０に観測局２１１の送信時間Ｔ１と局間時間Ｉ１を足した時刻ｔ２である。すなわち、観測局２１２の観測局起動時刻は、観測局２１１の観測局起動時刻ｔ０、観測局２１１の送信時間Ｔ１、又は局間時間Ｉ１のいずれの設定項目を変更した場合であっても設定を変更する必要がある。図２で説明したスケジュール制御部１２１は、いずれかの設定項目が変更された場合、その変更によって影響を受ける他の設定項目を変更に応じて自動的に算出して修正（自動調整）することができる。
例えば、観測局２１１が送信する観測データのデータ量がセンサの増加又は減少等によって増減した場合、送信時間Ｔ１はＴ１ａに変更される。操作者はＴ１の設定項目を選択して、新たにＴ１ａの数値を入力する。スケジュール制御部１２１は、送信時間Ｔ１の変更によって影響を受ける観測局起動時刻、及び回線切換時刻を再計算して新たな時刻をタイムスケジュール設定部１０３０に入力する。
【０１１６】
図１０は、図９で説明したタイムスケジュール設定部１０３０に実際の数値を入力した例を示す。
図１０において、観測局起動時刻１０３５、送信時間１０３６、局間時間１０３７、回線切換時刻１０３８には、ｍｓ単位の時刻及び時間を入力することができる。図１０においては、観測局２１３の送信時間は１８９０ｍｓに設定されている。観測局２１４の観測局起動時刻は、観測局２１３の起動時刻６３４０ｍｓに観測局２１３の送信時間１８９０ｍｓと局間時間１０５０ｍｓを足した９２８０ｍｓに設定されていることを示している。また、観測局２１４の回線切換時刻は、観測局２１４の観測局起動時刻に観測局２１４の送信時間と局間時間を足した１２６００ｍｓに設定されていることを示している。
【０１１７】
図１１は、図１０における観測局２１３の送信時間を１８９０ｍｓから２３９０ｍｓに変更した場合の観測局起動時刻と回線切換時刻の再計算を示している。観測局２１３の送信時間が２３９０ｍｓに変更されて５００ｍｓ増加されると、観測局２１４の観測局起動時刻は、増加分の５００ｍｓ遅い９７８０ｍｓに自動的に変更される。また、回線切換時刻についても増加分の５００ｍｓ遅い１３１００ｍｓに自動的に変更される。スケジュール制御部１２１は、いずれかの設定項目が変更された場合、その変更によって影響を受ける他の設定項目を自動的に算出して修正する自動調整をする。例えば、スケジュール制御部１２１は、５４号観測局の設定項目を変更したときに影響を受ける２１号観測局のタイムスケジュールを自動的に算出して修正する。図８で説明した通り、ｔ９から開始される２１号観測局からの観測データの取得は、５４号観測局からの観測データの取得が終了した後に行われる。スケジュール制御部１２１は、図９〜図１１において説明した５４号観測局からの観測データを取得するタイムスケジュールを変更したときには、５４号観測局のタイムスケジュールの変更によって影響を受ける２１号観測局のタイムスケジュールを５４号観測局のタイムスケジュールと重複しないように自動的に変更して、作業者が２１号観測局からのデータ取得の時刻を手動で入力する手間を省き、時刻の入力ミスによる観測データ取得の失敗等を防ぐことを可能とする。
操作者は、設定１０１２の選択ボタンを選択することにより、変更されたタイムスケジュールを確定して設定（記憶）する。
【０１１８】
スケジュール制御部１２１は、設定されたタイムスケジュールを図２の第１データ取得部１１３１及び第２データ取得部１１３２に通知することにより、第１データ取得部１１３１における５４号観測局からの観測データの取得タイミングと第２データ取得部１１３２における２１号観測局からの観測データの取得タイミングを制御することができる。
【０１１９】
なお、本実施形態では、送信時間を操作者が変更し、その変更によって影響を受ける観測局起動時刻と回線切換時刻を自動的に修正する場合を説明したが、操作者が観測局起動時刻、局間時間、又は回線切換時刻のいずれかを変更した場合、スケジュール制御部１２１は、操作者によって変更された設定項目に影響を受ける他の設定項目を自動的に算出して修正する。
【０１２０】
また、本実施形態においては、５４号観測局の設定項目を変更可能にして５４号観測局のタイムスケジュールの表示画面を表示する場合を説明したが、５４号観測局の設定項目を変更したときに影響を受ける２１号観測局のタイムスケジュールを表示画面に表示するようにしてもよい。
また、５４号観測局及び２１号観測局から観測データを取得するのに必要な時間を表示するようにしてもよい。本実施形態では、５４号観測局及び２１号観測局から観測データを取得するのに必要な時間は受信間隔（例えば、１０分）に対して十分短い場合を想定して説明したが、観測局の数が多くなった場合等には受信間隔に影響を与える可能性がある。５４号観測局及び２１号観測局から観測データを取得するのに必要な時間を表示することにより、受信間隔に問題があることを報知することができる。
【０１２１】
次に、図１２〜図１６を用いて、第１の観測局及び第２の観測局からの観測データ取得の休止の設定について説明する。図１２〜図１５は、実施形態の第１の観測局及び第２の観測局からの観測データ取得の休止の設定を示す図である。図１６は、実施形態の第２の観測局からの観測データ取得の休止の設定を示す図である。
【０１２２】
図１２は、休止設定１０２２の選択ボタンを選択したときに表示される表示画面である。制御画面１０００は、休止設定画面１０４０を持つ。休止設定画面１０４０は、観測データに含まれる測定データの休止をワード毎に設定するワード休止設定を、観測局毎に設定可能にするための表示画面である。休止設定画面１０４０は、５４号観測局のワード休止設定１０４１〜ワード休止設定１０４４を持つ。また、休止設定画面１０４０は、２１号観測局のワード休止設定１０４１〜ワード休止設定１０４４を持つ。
それぞれのワード休止設定は、実装ワード、休止ワード、及び非実装ワードを識別可能に表示する。例えば、観測局２１１のワード休止設定１０４１は、１ワード〜３ワードが実装されていて、４ワード以降が非実装であることを示している。休止設定画面１０４０は、観測局毎に何れのワードが非実装であるかを表示することができる。
【０１２３】
図１３は、図１２の休止設定画面１０４０において、観測局２２１のワード休止設定１０４５が選択された状態を示している。休止設定画面１０４０の表示に上に、休止詳細設定１０５０が重畳されて表示される。休止詳細設定１０５０は、観測局２２１の休止をワード毎に設定するための表示画面である。
【０１２４】
休止詳細設定１０５０は、実装ワードである、ワード１雨量１０５１、ワード２水位（１）１０５２、及びワード３水位（２）１０５３の選択ボタンを持つ。ワード１雨量１０５１、ワード２水位（１）１０５２、及びワード３水位（２）１０５３は、それぞれの選択ボタンが選択されることにより、休止させるワードの設定を可能にする選択ボタンである。
【０１２５】
また、休止詳細設定１０５０は、全休止／解除１０５７、閉じる１０５８、及び設定１０５９の選択ボタンを持つ。全休止／解除１０５７は、実装ワード全てを休止にする、又は全ての休止を解除するための選択ボタンである。閉じる１０５８は、休止詳細設定１０５０を閉じるための選択ボタンである。設定１０５９は、設定された休止設定を確定して記憶するとともに休止詳細設定１０５０を閉じるための選択ボタンである。
【０１２６】
図１４は、図１３において、ワード２水位（１）１０５２の選択ボタンが選択されて休止設定されたことを図示斜線によって示している。設定１０５９の選択ボタンを選択することにより、ワード２水位（１）の休止設定が確定し、休止詳細設定１０５０の表示画面が閉じられる。
【０１２７】
図１５は、観測局２２１のワード休止設定１０４５において、２ワードが休止設定されていることを示している。また、観測局２２２のワード休止設定１０４６において、１ワードが休止設定されていることを示している。ワード休止設定１０４６は、実装ワードが全て休止設定された状態であるため、観測局２２２からは観測データを取得しない。。ワード休止設定１０４６において図示する観測局名の斜線は、観測局２２２が休止状態になっていることを示している。
【０１２８】
図１６は、図１５において、２１号ソフト１００６の選択ボタンが選択されたときの表示画面を示している。図１６は、２１号観測局に関する設定及び監視をするための表示画面である。テレメータ設定画面２０３０は、テレメータ２０２１、及びテレメータ２０２２の選択ボタンを持つ。テレメータ２０２１、及びテレメータ２０２２は、２１号観測局をＣＨ毎に表示するための選択ボタンである。図１６は、テレメータ２０２１が選択されていることを示す。テレメータ設定画面２０３０は、観測局（２２１）２０３１、観測局（２２２）２０３２、観測局（２２３）２０３３、及び観測局（２２４）２０３４の選択ボタンを持つ。図１６は、観測局２２２が休止設定されていることを示している。テレメータ設定画面２０３０は、観測局詳細２０３５、通話／テスト２０３６、全局選択２０３７、及び起動２０３８の選択ボタンを持つ。休止設定されている観測局２２２に対しては、例えば通話／テスト２０３６等の選択ボタンの選択をできないようにしてもよい。
【０１２９】
次に、図１７を用いて、現況データ１００１の選択ボタンを選択したときの観測データの表示について説明する。図１７は、実施形態の第１の観測局及び第２の観測局から取得した観測データの表示を示す図である。
【０１３０】
図１７において、制御画面１０００は、実況データ表示１０６０を持つ。実況データ表示１０６０は、観測月日１０６１、観測時刻１０６２の表示項目を持つ。また、実況データ表示１０６０は、左右にスクロール可能な観測局（２１３）１０６３、観測局（２１４）１０６４、観測局（２２１）１０６５、及び観測局（２２２）１０６６の表示項目を持つ。
【０１３１】
観測局（２１３）１０６３、観測局（２１４）１０６４、観測局（２２２）１０６６の表示項目は、それぞれの観測局において実装されているワードに対応した測定データの表示項目を持つ。図１７は、左右スクロールによって、観測局（２１３）１０６３及び観測局（２２２）１０６６の一部の表示項目が表示され、観測局（２１４）１０６４、及び観測局（２２１）１０６５の全部表示項目が表示されていることを示している。観測局（２２２）１０６６に表示されている「*****」の表示は、欠測データであることを示している。
【０１３２】
観測時刻“10:40.00”以降において、観測局（２２１）１０６５の水位１、及び観測局（２２２）１０６６の雨量において表示されている空白の表示は、観測局２２１の水位１、及び観測局２２２の雨量のワードが、観測時刻“10:30.00”〜“10:40.00”の間において休止設定されていることを示す。休止設定されたワードを欠測のワードと識別可能に表示することにより、センサの故障等によって測定データが欠測となったのか、休止設定によって測定データを記録していないのかを容易に区別することが可能となる。
【０１３３】
次に、図１８及び図１９を用いて、２１号フォーマットの５４号フォーマットへの変換を説明する。図１８は、実施形態のデータフォーマットの変換を示す図である。
図１８において、２１号フォーマットには、局番、局状態、１量目データ〜１０量目データのデータ項目を含む。一方、５４号フォーマットには、局番、局状態、時刻データ、１量目最新データ〜１０量目最新データ、１量目過去１回データ〜１０量目過去１０回データのデータ項目を含む。すなわち、５４号フォーマットには、２１号フォーマットには含まれない時刻データが含まれている。
【０１３４】
図２で説明したデータフォーマット制御部１２２は、２１号フォーマットで取得された２１号観測局の観測データに対して時刻データを追加することにより５４号フォーマットに変換する。なお、データフォーマット制御部１２２は、５４号フォーマットに含まれる過去データのデータ項目は値を入力しないNullデータとすることができる。また、データフォーマット制御部１２２は、過去に２１号観測局から取得した観測データを記憶しておき、記憶された観測データから５４号フォーマットの過去データのデータ項目を入力してもよい。
【０１３５】
一方、図１９において、観測データに含まれる局状態を示す局状態詳細のデータフォーマットにおいては、２１号フォーマットには、欠測、無効、異常、及び予備のデータ項目を含む。一方、５４号フォーマットには、欠測、無効、異常、及び時刻校正のデータ項目を含む。すなわち、５４号フォーマットには、２１号フォーマットに含まれる予備のデータ項目が含まれていない。
【０１３６】
データフォーマット制御部１２２は、２１号フォーマットで取得された２１号観測局の局状態詳細のデータから予備のデータ項目を削除することにより５４号フォーマットに変換する。データフォーマット制御部１２２は、５４号フォーマットに含まれる時刻校正のデータ項目には、Nullデータを入力することができる。
【０１３７】
２１号観測局の観測データを５４号フォーマットに変換することにより、２１号観測局の観測データと５４号観測局の観測データのデータフォーマットが同じになるため、表示、又は印字等をしたときに２１号観測局の観測データと５４号観測局の観測データがずれて表示されたり、ずれて印字されることがなくなる。
【０１３８】
以上説明した少なくともひとつの実施形態によれば、監視システムは、第１の観測局、第２の観測局及び監視局を持つ。第１の観測局は、監視局に対して、センサで測定した第１の測定データを所定の時刻で送信する制御部を持ち、第２の観測局は、監視局に対して、センサで測定した第２の測定データの取得を要求する取得要求に応じて送信する制御部を持ち、監視局は、第１データ取得部と、第２データ取得部と、スケジュール制御部とを持つことにより、１台の観測装置において観測装置呼出方式の観測局の観測データと自律送信方式の観測局の観測データの両方を取得することができる。
【０１３９】
なお、上述した装置は、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵ（Central Processing Unit）が実行することで実現してもよい。ここでいう「コンピュータシステム」とは、ＯＳ（Operating System）や周辺機器等のハードウェアを含むものとする。また、「コンピュータ読み取り可能な記録媒体」とは、フレキシブルディスク、光磁気ディスク、ＲＯＭ（Read Only Memory）、ＣＤ−ＲＯＭ等の可搬媒体のことをいう。また、「コンピュータ読み取り可能な記録媒体」は、コンピュータシステムに内蔵されるハードディスク等の記憶装置を含む。さらに「コンピュータ読み取り可能な記録媒体」とは、短時間の間、動的にプログラムを保持するものを含んでいてもよい。短時間の間、動的にプログラムを保持するものは、例えば、インターネット等のネットワークや電話回線等の通信回線を介してプログラムを送信する場合の通信線である。また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ（Field Programmable Gate Array）である。
また、図を用いて説明した装置の各機能部は、ソフトウェア機能部であるものとしたが、機能の一部又は全部は、ＬＳＩ等のハードウェア機能部であってもよい。
【０１４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４１】
１…監視局、１１…監視装置、１１０…制御部、１１１、２１４０、２２５０…回線切換部、１１２、２１３０、２２４０…通信制御部、１１３…データ取得部、１１３１…第１データ取得部、１１３２…第２データ取得部、１１４…中継制御部、１１５、２１２０…時刻制御部、１１６…試験制御部、１１７…操作制御部、１１８…外部Ｉ／Ｆ、１２…管理端末、１２０、２１００、２２００…制御部、１２１…スケジュール制御部、１２２…データフォーマット制御部、１２３…休止制御部、１２７…入力部、１２８…表示部、１２９…印字部、１３…操作卓、１４…操作盤、１５、２１６０、２２７０…無線装置、１６、２１７０、２２８０…多重無線装置、１７、２１８０、２２９０…有線装置、２１…第１の観測局、２２…第２の観測局、２１１０、２２１０…センサ通信部、２２２０…呼出制御部、２２３０…試験部、２１５０、２２６０…電源部、２１１１、２２１１…水位計、２１１２、２２１２…雨量計、２１１３、２２１３…積雪量計、４…中継局、４０…制御部、４１…中継制御部、４２…状態返送部、４３…試験部、４４…電源部、４１１…無線受信機１号、４１２…無線受信機２号、４１３…無線送信機１号、４１４…無線送信機２号
【図１】
0006668055.tif 000002
【図２】
0006668055.tif 000003
【図３】
0006668055.tif 000004
【図４】
0006668055.tif 000005
【図５】
0006668055.tif 000006
【図６】
0006668055.tif 000007
【図７】
0006668055.tif 000008
【図８】
0006668055.tif 000009
【図９】
0006668055.tif 000010
【図１０】
0006668055.tif 000011
【図１１】
0006668055.tif 000012
【図１２】
0006668055.tif 000013
【図１３】
0006668055.tif 000014
【図１４】
0006668055.tif 000015
【図１５】
0006668055.tif 000016
【図１６】
0006668055.tif 000017
【図１７】
0006668055.tif 000018
【図１８】
0006668055.tif 000019
【図１９】
0006668055.tif 000020